(57)【要約】【課題】光学マウスの構造改良を提供する。【解決手段】  上ケース１１と底部１２からなるハウジング１内に回路基板２を設け、回路基板上にセンサ部材３と発光部材４を設け、底部に反射部材５を設け、上ケース表面に複数のボタン１１１を設ける。該反射部材のベース部５１表面に収容部５３を設け、収容部を設けた反対側に反射面５４と球面を設ける。回路基板の発光部材を反射部材の収容部内に収容し、反射部材のベース部と垂直を呈するように設置して、発光部材が発射する光が反射部材と接触面との二回の反射を経て回路基板上のセンサ部材に伝達されるようにして、光の反射回数を減少して光の損失を縮小し、フォーカシングの効率を増大する。【選択図】  図  ２【実用新案登録請求の範囲】
【請求項１】
光学マウスの構造において、上ケースと底部により構成するハウジング内に回路基板を設け、更に回路基板上にセンサ部材及び発光部材を設けるとともに、底部上に反射部材を設け、更に上ケース表面に複数のボタンを設け、
該反射部材にベース部を設け、ベース部表面に透光部および収容部を設け、更に透光部と収容部を設けた反対側に反射面と球面を設け、回路基板の発光部材を反射部材の収容部内に収容し、反射部材のベース部と相互に垂直を呈するように設置し、反射部材は光線が発光部材から接触面を経由する二回の反射を経て回路基板上のセンサ部材に伝達することができるようにして成ることを特徴とする光学マウスの改良構造。
【請求項２】
該回路基板には空洞部を設け、センサ部材が空洞部の上方に位置するようにして成ることを特徴とする請求項１記載の光学マウスの改良構造。
【請求項３】
該センサ部材はキャプチャ装置を具え、キャプチャ装置は反射部材の透光部に向き合わせるようにして成ることを特徴とする請求項１記載の光学マウスの改良構造。
【請求項４】
該底部には通孔を具えた固定部を設け、反射部材の上記反射面と球面とを底部の通孔を経由する光反射経路を構成するようにして成ることを特徴とする請求項1記載の光学マウスの改良構造。
【考案の詳細な説明】
【技術分野】
【０００１】
本考案は光学マウスの構造改良に関し、発光部材の光が反射部材を経て二回反射後、光線が回路基板上のセンサ部材へ伝達されるようにし、ひいては光の反射回数を減少して光の損失を削減し、フォーカシングの効率を向上することができる光学マウスの構造改良に関する。
【背景技術】
【０００２】
公知の機械式マウスはマウスハウジング内に装備したボールで、ボールの一部をハウジング外に露出して外部の接触面（机など）と接触し、機械式マウスが接触面上を移動するとボールがマウス内で回転してマウスのセンサを触発し、センサがボールの動作を二つの垂直な方向成分に分解して移動量を検出し、それに対応した信号とする。しかしこのような機械式マウスのボールは回転時に接触面上のホコリなどがつきやすく、ホコリがセンサ上にたまると動作に干渉し、機械式マウスの作動が不規則になったりボールが引っかかったりしやすくなる。
【０００３】
上述の欠点を解決するために光学マウスが登場した。光学マウスはボールの機械的移動を検知するのではなく、発光部材が発する光を反射部材を経て接触面上に投射し、その反射光に対してセンサ部材が位置の演算を行う。図６に示すように、公知の光学マウスＡの発光部材Ａ１は回路基板Ａ２表面に平行に固定され、発光部材Ａ１が発射する光は側面から反射部材Ａ３の第一反射面Ａ３１に当たり、第一反射面Ａ３１を経て下向きに反射して第二反射面Ａ３２に当たり、更に第二反射面Ａ３２から底部Ａ４の通孔Ａ４１を通って接触面Ｂに照射される。この時、光は接触面Ｂによって特性変調後、上向きに反射して、光は反射部材Ａ３の球面Ａ３３により集光されてからセンサ部材Ａ５に伝達され、該光学マウスＡの移動方向と距離を判定する。
【０００４】
しかし上述の公知の設計は使用時に以下の欠点がある。
・  公知の光学マウスＡは少なくとも三回の反射を経なければ、光がセンサ部材Ａ５に届かない。公知の発光部材Ａ１が発射する光は反射回数が多いために、それに伴ってセンサ部材Ａ５に伝達される光は損失も大きく、集光効果も悪くなる。
・  公知の光学マウスＡは少なくとも三回の反射を経なければ、光がセンサ部材Ａ５に届かない。そのため、光の照射距離が長くなり、フォーカス効果が低下して、照度が落ちる。照度が落ちるとセンサ部材Ａ５の感度と分解能が下がり、光学マウスＡ５の性能に影響してしまう。
【特許文献１】特開平１０−１２４２５４号公報
【考案の開示】
【考案が解決しようとする課題】
【０００５】
上述の公知マウスの欠点を解決する光学マウスの構造改良を提供することを課題とする。
【課題を解決するための手段】
【０００６】
本考案の光学マウス構造は、回路基板の発光部材を反射部材の収容部内に収容し、反射部材のベース部と垂直状を呈するようにして、発行部材の発射する光が反射部材によって二回の反射を経て、回路基板上のセンサ部材に光が伝達されるようにすることによって、光の反射回数を減少して光の損失を縮小し、フォーカシングの効率を増大する。
【考案の効果】
【０００７】
公知の発光部材の側面照射方式を垂直照射方式に改めることにより、光の反射回数を減少して光の損失を縮小するとともに、光の照射距離を短縮したため光学的フォーカシングが著しく容易になった。
【考案を実施するための最良の形態】
【０００８】
図１、２、３、４に示すように、本考案は複数のボタン１１１を具えた上ケース１１と、固定部１２１を具えた底部１２から成るハウジング１の内部に、空洞部２１を設けた回路基板２を具え、回路基板２にセンサ部材３と発光部材４を設け、センサ部材３を回路基板２の空洞部２１の上方に固定し、発光部材４は回路基板２のもう一つの表面に垂直に固定する。更に、該底部１２の固定部１２１は通孔１２１１を具え、底部１２の固定部１２１に反射部材５を固定できるようにする。反射部材５にはベース部５１を設け、ベース部５１の表面に透光部５２と収容部５３を設け、透光部５２と収容部５３を設けた反対側の面に底部１２の通孔１２１１と向かい合う反射面５４と球面５５（図４）を設ける。更に回路基板２のもう一つの表面に固定した発光部材４を反射部材５の収容部５３内に収容できるようにし、反射部材５のベース部５１と垂直を呈するように設置する。上述のセンサ部材３内にキャプチャ装置３１を具え（図５）、センサ部材３のキャプチャ装置３１は回路基板２の空洞部２１を通して反射部材５の透光部５２の上方に向かい合うようにする。
【０００９】
同時に図５に示すように、本考案の上述の構成を組み立て完了して使用する場合、発光部材４が発射する光は垂直方向に反射部材５の収容部５３を経て反射部材５の反射面５４に照射し、反射面５４から底部１２の固定部１２１に設けた通孔１２１１を通って底部１２の底面にある接触面６に照射される。接触面６に当った光は特性変調されて、その光は上向きに反射部材５の球面５５へと反射し、反射部材５の球面５５は集光して、集光後の光は反射部材５の透光部５２を経て回路基板２の空洞部２１を通ってセンサ部材３のキャプチャ装置３１に伝送する。この時、センサ部材３のキャプチャ装置３１は連続して反射光を受光することにより接触面６の画像を取得することができ、それと同時に取得した連続画像を分析して光学マウスの移動方向と移動した距離を判定することができる。
【００１０】
本考案は回路基板２の発光部材４を反射部材５の収容部５３内に収容し、且つ反射部材５のベース部５１と垂直を呈するように設置することによって、発光部材４が発射する光が反射部材５により二回の反射を経て、回路基板２上のセンサ部材３に光が達するようにし、以上により光の反射回数を減少して光の損失を低減し、フォーカシングの効率を向上させることができる。
【図面の簡単な説明】
【００１１】
【図１】本考案の立体外観図である。
【図２】本考案の立体分解図である。
【図３】本考案の反射部材の立体外観図である。
【図４】本考案の反射部材の側面方向から見た断面図である。
【図５】本考案の側面から見た断面図である。
【図６】公知の側面から見た断面図である。
【符号の説明】
【００１２】
１            ハウジング
１１          上ケース
１１１        ボタン
１２          底部
１２１        固定部
１２１１      通孔
２            回路基板
２１          空洞部
３            センサ部材
３１          キャプチャ装置
４            発光部材
５            反射部材
５１          ベース部
５２          透光部
５３          収容部
５４          反射面
５５          球面
６            接触面
Ａ            光学マウス
Ａ１          発光部材
Ａ２          回路基板
Ａ３          反射部材
Ａ３１        第一反射面
Ａ３２        第二反射面
Ａ３３        球面
Ａ４          底部
Ａ４１        通孔
Ａ５          センサ部材
Ｂ            接触面
【図１】
0003106103.tif 000002
【図２】
0003106103.tif 000003
【図３】
0003106103.tif 000004
【図４】
0003106103.tif 000005
【図５】
0003106103.tif 000006
【図６】
0003106103.tif 000007